【手続補正書】
【提出日】平成15年8月29日(2003.8.29)
【手続補正１】
【補正対象書類名】明細書
【補正対象項目名】特許請求の範囲
【補正方法】変更
【補正の内容】
【特許請求の範囲】
【請求項１】
前面が開口した箱形形状の本体枠と、該本体枠の一側に、回動自在に軸支された前扉と、を備え、
前記前扉の前面の下部にメダルを貯留するための受皿を構成する受皿ユニットを配設し、
前記前扉の背面側に、該前扉を閉じた状態で前記本体枠と前記前扉との隙間から不正物が侵入することを阻止する不正阻止部を設けたスロットマシンにおいて、
前記前扉の下部に略垂直方向に起立部を延在させ、
前記不正阻止部は、
前記起立部の下端部より前方に迫り出して前記受皿ユニットを上面で支持する支持部と、
前記支持部の前端部より垂下した垂下部と、
前記起立部の裏側面より後方に突出した状態に設けられ、該前扉を閉じた状態で前記本体枠の内側に入り込む上側不正阻止部と、
前記垂下部の下端部より前記本体枠の下部前端面方向に突出する下側不正阻止部と、
から構成され、
前記上側不正阻止部の下面と、前記本体枠の下部上面と、の間隔をメダルの厚さ以上に設定して、前記前扉を閉じた際に前記本体枠の下部上面に載ったメダルを収容可能に構成したことを特徴とするスロットマシン。
【請求項２】
前記本体枠の前面下部には、前記前扉を閉じた状態で前記下側不正阻止部の後端部分が入り込む凹部を形成したことを特徴とする請求項１記載のスロットマシン。
【請求項３】
前記本体枠は、前面開口部の下辺の内周縁部に沿って金属部材を備え、該金属部材が面取り形状となっていることを特徴とする請求項１又は２記載のスロットマシン。
【手続補正２】
【補正対象書類名】明細書
【補正対象項目名】０００１
【補正方法】変更
【補正の内容】
【０００１】
【発明の属する技術分野】
本発明は、スロットマシンに関する。


【手続補正３】
【補正対象書類名】明細書
【補正対象項目名】０００３
【補正方法】変更
【補正の内容】
【０００３】
【発明が解決しようとする課題】
しかしながら、従来のスロットマシンは、不正阻止部材が、本体枠に、該本体枠より前方に突出した状態で設けられているので、例えば本体枠下部上面の開口側にメダルが載った状態で前扉を閉じようとする場合には、前扉と不正阻止部材の下側部分との間にメダルが挟まって前扉が閉じなかったり、或いは完全には閉じないで半開き状態のままとなったりする。仮に、半開き状態のままとなった場合には、前扉と本体枠の間隔が比較的大きくなるので、不正行為が行われる可能性を増大させてしまう。
【手続補正４】
【補正対象書類名】明細書
【補正対象項目名】０００４
【補正方法】変更
【補正の内容】
【０００４】
この発明は、上記のような問題点を解決するためになされたもので、例えば本体枠下部上面の開口側にメダルが載った状態であっても前扉を閉じ易くするスロットマシンを提供することを目的とする。


【手続補正５】
【補正対象書類名】明細書
【補正対象項目名】０００５
【補正方法】変更
【補正の内容】
【０００５】
【課題を解決するための手段】
上記課題を解決するため、
請求項１記載の発明は、
前面が開口した箱形形状の本体枠と、該本体枠の一側に、回動自在に軸支された前扉と、を備え、
前記前扉の前面の下部にメダルを貯留するための受皿を構成する受皿ユニットを配設し、
前記前扉の背面側に、該前扉を閉じた状態で前記本体枠と前記前扉との隙間から不正物が侵入することを阻止する不正阻止部を設けたスロットマシンにおいて、
前記前扉の下部に略垂直方向に起立部を延在させ、
前記不正阻止部は、
前記起立部の下端部より前方に迫り出して前記受皿ユニットを上面で支持する支持部と、
前記支持部の前端部より垂下した垂下部と、
前記起立部の裏側面より後方に突出した状態に設けられ、該前扉を閉じた状態で前記本体枠の内側に入り込む上側不正阻止部と、
前記垂下部の下端部より前記本体枠の下部前端面方向に突出する下側不正阻止部と、
から構成され、
前記上側不正阻止部の下面と、前記本体枠の下部上面と、の間隔をメダルの厚さ以上に設定して、前記前扉を閉じた際に前記本体枠の下部上面に載ったメダルを収容可能に構成したことを特徴としている。


【手続補正６】
【補正対象書類名】明細書
【補正対象項目名】０００７
【補正方法】変更
【補正の内容】
【０００７】
ここで、メダルとは、スロットマシンの遊技に用いられるメダルのことをいう。
【手続補正７】
【補正対象書類名】明細書
【補正対象項目名】０００８
【補正方法】変更
【補正の内容】
【０００８】
請求項１記載の発明によれば、本体枠下部上面の開口側にメダルが載った状態で前扉を閉じようとする場合に、該メダルが上側不正阻止部の下面と、本体枠の下部上面との間に横倒し状態で収容されることになり、上側不正阻止部と本体枠との間にメダルが挟まってしまうことなく前扉を完全に閉じることができる。
よって、メダルが前扉と本体枠との間に挟まり難い構成となり、前扉を閉じ易くなり、前扉と本体枠の間隔からの不正物の差し込み等の不正行為を阻止できる。
【手続補正８】
【補正対象書類名】明細書
【補正対象項目名】０００９
【補正方法】変更
【補正の内容】
【０００９】
請求項２記載の発明は、請求項１記載のスロットマシンにおいて、前記本体枠の前面下部には、前記前扉を閉じた状態で前記下側不正阻止部の後端部分が入り込む凹部を形成されていることを特徴としている。
【手続補正９】
【補正対象書類名】明細書
【補正対象項目名】００１０
【補正方法】変更
【補正の内容】
【００１０】
請求項２記載の発明によれば、本体枠の前面下部には、前扉を閉じた状態で下側不正阻止部の後端部分が入り込む凹部を形成しているので、前扉を閉じた状態では、前扉と本体枠の下側の間隔からの不正物の差し込み等をより好適に阻止できる。
【手続補正１０】
【補正対象書類名】明細書
【補正対象項目名】００１１
【補正方法】変更
【補正の内容】
【００１１】
請求項３記載の発明は、請求項１又は２記載のスロットマシンにおいて、前記本体枠は、前面開口部の下辺の内周縁部に沿って金属部材を備え、該金属部材が面取り形状となっていることを特徴としている。
【手続補正１１】
【補正対象書類名】明細書
【補正対象項目名】００１２
【補正方法】変更
【補正の内容】
【００１２】
請求項３記載の発明によれば、本体枠の前面開口部の下辺の内周縁部に沿って金属部材を備えているので、本体枠下部の剛性を高め、本体枠の強度を高めることができる。
また、この金属部材が面取形状となっているので、前扉を閉じようとする際に、不正阻止部と本体枠の前面開口部の下辺の内周縁部との間にメダルが挟まり難い。例えば、メダルが面取り形状となっている内周縁部に立てかかった状態で前扉を閉じようとする場合に、メダルの上部が不正阻止部により後方に押される一方、該メダルの背面は該内周縁部に沿って斜め下側に摺動して、該メダルの下部が手前側に押し出される。この結果、メダルは本体枠下部の手前側、且つ前扉の下側に逃げるので、スムーズに前扉を閉じることができる。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００７４
【補正方法】変更
【補正の内容】
【００７４】
【発明の効果】
請求項１記載の発明によれば、本体枠下部上面の開口側にメダルが載った状態で前扉を閉じようとする場合に、該メダルが上側不正阻止部と本体枠との間に横倒し状態で収容されることになり、上側不正阻止部と本体枠との間にメダルが挟まってしまうことなく前扉を完全に閉じることができる。
よって、メダルが前扉と本体枠との間に挟まり難い構成となり、前扉を閉じ易くなり、前扉と本体枠の間隔からの不正物の差し込み等の不正行為を阻止できる。
【手続補正２６】
【補正対象書類名】明細書
【補正対象項目名】００７５
【補正方法】変更
【補正の内容】
【００７５】
請求項２記載の発明によれば、本体枠の前面下部には、前扉を閉じた状態で下側不正阻止部の後端部分が入り込む凹部を形成しているので、前扉を閉じた状態では、前扉と本体枠の下側の間隔からの不正物の差し込み等をより好適に阻止できる。
【手続補正２７】
【補正対象書類名】明細書
【補正対象項目名】００７６
【補正方法】変更
【補正の内容】
【００７６】
請求項３記載の発明によれば、本体枠の前面開口部の下辺の内周縁部に沿って設けられた金属部材が面取り形状となっているので、前扉を閉じようとする際に、不正阻止部と本体枠の前面開口部の下辺の内周縁部との間にメダルが挟まり難い。例えば、メダルが面取り形状となっている内周縁部に立てかかった状態で前扉を閉じようとする場合に、メダルの上部が不正阻止部により後方に押される一方、該メダルの背面は該内周縁部に沿って斜め下側に摺動して、該メダルの下部が手前側に押し出される。この結果、メダルは本体枠下部の手前側、且つ前扉の下側に逃げるので、スムーズに前扉を閉じることができる。また、本体枠は前面開口部の下辺の内周縁部に沿って金属部材を備えているので、本体枠下部の剛性を高め、本体枠の強度を高めることができる。
【手続補正２８】
【補正対象書類名】明細書
【補正対象項目名】００７７
【補正方法】削除
【補正の内容】
【手続補正２９】
【補正対象書類名】明細書
【補正対象項目名】００７８
【補正方法】削除
【補正の内容】
【手続補正３０】
【補正対象書類名】明細書
【補正対象項目名】００７９
【補正方法】削除
【補正の内容】
【手続補正３１】
【補正対象書類名】明細書
【補正対象項目名】００８０
【補正方法】削除
【補正の内容】
【手続補正３２】
【補正対象書類名】明細書
【補正対象項目名】００８１
【補正方法】削除
【補正の内容】
【手続補正３３】
【補正対象書類名】明細書
【補正対象項目名】００８２
【補正方法】削除
【補正の内容】